(57)【要約】移動通信システムにおけるデータを送受信する方法及びその装置を提供する。この移動通信システムの受信端でデータを送受信する方法は、送信端から送受信関連制御情報を受信し、該送受信関連制御情報から通話区間（talk  spurt）及び沈黙区間に対する電力消耗防止関連パラメータ情報のうち少なくとも一つを決定し、通話区間か沈黙区間かによって電力消耗防止関連パラメータ情報を適用して送信端からのデータを受信する構成とする。このデータ送受信方法によれば、沈黙区間における余計なデータ受信動作を防止することができる。【選択図】図３
2010529707.tif 000002
【特許請求の範囲】
【請求項１】
移動通信システムにおいて受信端でデータを送受信する方法であって、
送信端から送受信関連制御情報を受信し、
前記送受信関連制御情報から通話区間（talk  spurt）及び沈黙区間に対する電力消耗防止関連パラメータ情報のうち少なくとも一つを決定し、
前記通話区間か前記沈黙区間かによって前記電力消耗防止関連パラメータ情報を適用して前記送信端からのデータを受信すること、
を含む移動通信システムにおけるデータ送受信方法。
【請求項２】
前記決定された電力消耗防止関連パラメータ情報によって前記通話区間と前記沈黙区との相互切替時に前記送信端に切替要請情報を送信し、
前記送信端から切替応答情報を受信すること、
をさらに含む、請求項１に記載の移動通信システムにおけるデータ送受信方法。
【請求項３】
前記データは前記通話区間及び前記沈黙区間で互いに同一のまたは異なる周期で受信されることを特徴とする、請求項２に記載の移動通信システムにおけるデータ送受信方法。
【請求項４】
前記電力消耗防止関連パラメータ情報は、通話区間でデータ送信（grant）間隔を設定する第１周期に関する情報と、沈黙区間でポーリング（polling）間隔を設定する第２周期に関する情報と、を含むことを特徴とする、請求項２に記載の移動通信システムにおけるデータ送受信方法。
【請求項５】
前記電力消耗防止関連パラメータ情報のうち少なくとも一つの決定によって、前記切替要請情報には、前記通話区間及び前記沈黙区間に対する聴取周期及び睡眠周期に関する情報を含むまたは含まないことを特徴とする、請求項２に記載の移動通信システムにおけるデータ送受信方法。
【請求項６】
前記沈黙区間におけるデータ受信周期と聴取周期が同一であることを特徴とする、請求項３に記載の移動通信システムにおけるデータ送受信方法。
【請求項７】
前記第２周期は、前記第１周期よりも大きい値に設定されることを特徴とする、請求項４に記載の移動通信システムにおけるデータ送受信方法。
【請求項８】
前記電力消耗防止関連パラメータ情報は、
前記沈黙区間で前記送信端に送信するＳＩＤ（Silence  Description）データの大きさ情報と、
前記沈黙区間で前記送信端に前記ＳＩＤデータのために割り当てられる帯域幅周期情報のうち少なくとも一つをさらに含むことを特徴とする、請求項４に記載の移動通信システムにおけるデータ送受信方法。
【請求項９】
前記通話区間用として割り当てられた通信リソース、制御情報及び前記電力消耗防止関連パラメータ情報を用いて最初のＳＩＤデータまたは一つ以上のパッディングデータを送信し、所定の送信用リソース要請情報を送信して通話区間から沈黙区間への切替を要請することをさらに含むことを特徴とする、請求項８に記載の移動通信システムにおけるデータ送受信方法。
【請求項１０】
前記通話区間用として割り当てられた通信リソース、制御情報及び前記電力消耗防止関連パラメータ情報を用いて所定の大きさを持つＳＩＤデータを送信して通話区間から沈黙区間への切替を要請することをさらに含むことを特徴とする、請求項８に記載の移動通信システムにおけるデータ送受信方法。
【請求項１１】
前記通話区間用として割り当てられた通信リソース、制御情報及び前記電力消耗防止関連パラメータ情報を用いて沈黙区間への切替指示情報を含むＳＩＤデータを送信して通話区間から沈黙区間への切替を要請し、
前記沈黙区間用として割り当てられた通信リソース、制御情報及び前記電力消耗防止関連パラメータ情報を用いて通話区間への切替指示情報を含むＳＩＤデータを送信して沈黙区間から通話区間への切替を要請すること、
をさらに含むことを特徴とする、請求項８に記載の移動通信システムにおけるデータ送受信方法。
【請求項１２】
前記沈黙区間への切替を要請した後、前記送信端から前記沈黙区間のための通信リソース割当を受け、
前記通信リソース及び前記電力消耗防止関連パラメータ情報を用いてＳＩＤデータを送信すること、
をさらに含むことを特徴とする、請求項９〜１１のいずれか１項に記載の移動通信システムにおけるデータ送受信方法。
【請求項１３】
広帯域無線接続システムにおいてＶｏＩＰサービスを受ける端末であって、
基地局とＶｏＩＰサービスのためのＱｏＳパラメータを交渉し、
前記交渉されたＱｏＳパラメータを用いて通話区間（talk  spurt）に対する電力消耗防止クラス（Power  Saving  Class;  PSC）を定義してそれを活性化し、
通話区間から沈黙区間（silence  period）に切り替わると、前記交渉されたＱｏＳパラメータを用いて沈黙区間に対するＰＳＣを再定義してそれを活性化する制御部を含む、ＶｏＩＰサービスに対する電力消耗を防止する端末機。
【請求項１４】
前記ＰＳＣは、
通話区間でＶｏＩＰサービスフローに対するデータ伝送（grant）間隔を設定する第１周期と、沈黙区間でＶｏＩＰサービスフローに対するポーリング（polling）間隔を設定する第２周期と、を含むことを特徴とする、請求項１３に記載のＶｏＩＰサービスに対する電力消耗を防止する端末機。
【請求項１５】
前記ＰＳＣは、
通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含むことを特徴とする、請求項１３または１４に記載のＶｏＩＰサービスに対する電力消耗を防止する端末機。
【請求項１６】
前記通話区間と沈黙区間との切替を確認するための所定のカウンター及びタイマーのうち少なくとも一つをさらに含むことを特徴とする、請求項１３に記載のＶｏＩＰサービスに対する電力消耗を防止する端末機。
【請求項１７】
広帯域無線接続システムにおいてＶｏＩＰサービスを受ける端末であって、
基地局とＶｏＩＰサービスのためのＱｏＳパラメータを交渉し、
前記交渉されたＱｏＳパラメータを用いて通話区間（talk  spurt）に対する第１電力消耗防止クラス（Power  Saving  Class;  PSC-1）と、沈黙区間（silence  period）のための第２電力消耗防止クラス（PSC-2）を定義し、
通話区間から沈黙区間に切り替わると、前記ＰＳＣ−１を選択してそれを活性化する制御部を含む、ＶｏＩＰサービスに対する電力消耗を防止する端末機。
【請求項１８】
前記ＰＳＣ−１は、通話区間でＶｏＩＰサービスフローに対するデータ伝送（grant）間隔を設定する第１周期を含み、
前記ＰＳＣ−２は、沈黙区間でＶｏＩＰサービスフローに対するポーリング（polling）間隔を設定する第２周期を含むことを特徴とする、請求項１７に記載のＶｏＩＰサービスに対する電力消耗を防止する端末機。
【請求項１９】
前記ＰＳＣ−１及び前記ＰＳＣ−２は、
通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含むことを特徴とする、請求項１７に記載のＶｏＩＰサービスに対する電力消耗を防止する端末機。
【請求項２０】
前記通話区間及び沈黙区間との切替を確認するための所定のカウンター及びタイマーのうち少なくとも一つをさらに含むことを特徴とする、請求項１７に記載のＶｏＩＰサービスに対する電力消耗を防止する端末機。
【発明の詳細な説明】
【技術分野】
【０００１】
本発明は、移動通信システムでデータを送受信する方法及びそれを支援する装置に関する。
【背景技術】
【０００２】
ＩＰベースの音声トラフィック（VoIP  traffic）は、ユーザ間に通話が行われている状態である通話区間（talk-spurt）と、ユーザが話さずに聞いている状態である沈黙区間（silence  period）とに区別され、沈黙区間は、通常のコールセッション全体において５０％以上を占める。したがって、通話区間と沈黙区間にそれぞれ異なる量の帯域幅を割り当てるために様々な音声コーデックを用いる。その代表には、ＧＳＭ（Global  System  for  Mobile  communication）とＵＭＴＳ（Universal  Mobile  Telecommunications  System）で使用している適応マルチレート（Adaptive  Multi-Rate;  AMR）手法がある。
【０００３】
沈黙区間では音声データが生成されず、よって、沈黙区間に帯域幅を割り当てるということはリソースの浪費といわざるを得ない。これを防止するために、ＶｏＩＰは沈黙抑制手法（silence  suppression）を支援する。沈黙抑制手法によると、ＶｏＩＰトラフィックを生成するボコーダ（vocoder）は、沈黙期間中にはトラフィックを生成しないし、相手側のユーザに呼（call）が維持し続くということを知らせるために周期的に快適雑音（comfort  noise）を生成する。一例として、ＡＭＲコーデックを使用するボコーダは、通話区間で２０ｍｓ当たり１回ずつパケットを生成し、沈黙区間では１６０ｍｓごとに快適雑音を生成する。
【０００４】
ＩＥＥＥ  ８０２．１６（ｅ）では、Ｔ１／Ｅ１や沈黙抑制手法が適用されないＶｏＩＰなどのように周期的に固定した大きさのデータパケットを伝送する実時間アップリンクサービスフローを支援すべく、ＵＧＳ（unsolicited  grant  service）スケジューリング手法を提供する。ＵＧＳスケジューリングで、基地局は、最大維持トラフィックレート（Maximum  sustained  Traffic  Rate）に基づいて周期的に端末にリソース（例えば、Data  Grant  Burst  IEs）を割り当て、割り当てられたリソースを用いて固定した大きさのデータを周期的に端末に伝送する。
【０００５】
また、ＩＥＥＥ  ８０２．１６（ｅ）は、ＵＧＳスケジューリングで発生する端末の電力消耗を減らすために、睡眠モード（sleep  mode）に対する電力消耗防止クラス（Power  Saving  Class;  PSC）を定義する。ＰＳＣの一つであるＰＳＣ２で、睡眠ウィンド（sleep  window）と聴取ウィンド（listening  window）の大きさは固定されている。睡眠ウィンドは睡眠周期と同じ概念であり、聴取ウィンドは聴取周期と同じ概念である。図１は、ＵＧＳスケジューリング、及びＵＧＳに適用された電力消耗防止クラス（ＰＳＣ２）の概念を示す図である。
【０００６】
ＵＧＳ部分に示すように、基地局は、一定の周期で固定大きさのリソースを端末に割り当て、端末は、割り当てられた領域を通じてデータを伝送する。ＰＳＣ２部分に示すように、ＰＳＣは、トラフィックの特性に相応する固定した大きさの聴取ウィンドと睡眠ウィンドを具備し、割り当てられた領域を通じて聴取ウィンドでデータを伝送する。
【０００７】
一方、ＩＥＥＥ  ８０２．１６（ｅ）は、沈黙抑制手法を支援するＶｏＩＰトラフィックのための拡張された実時間ポーリングサービス（Extended  real-time  Polling  service;  ErtPS）という新しいスケジューリング手法を提供する。図２Ａ及び図２Ｂは、ＥｒｔＰＳのスケジューリングと、ＥｒｔＰＳに適用された電力消耗防止クラス（ＰＳＣ２）の概念を示す図である。
【０００８】
基地局は、帯域幅要請やデータ伝送のために使用されるアップリンク帯域幅を周期的に割り当て、端末から帯域幅変更要請を受けるまでアップリンク割当（UL  allocation）の大きさを変更しない。端末が帯域幅変更を要請する場合、帯域幅要請大きさ（bandwidth  request  size）が０に設定されていると、図２Ａに示すように、基地局は、帯域幅要請ヘッダ（bandwidth  request  header;  BR  header）を伝送する分だけの帯域幅（Unicast  BR  opportunity）のみを割り当てる、または、図２Ｂに示すように帯域幅を一切割り当てない。
【０００９】
図２Ａによると、端末がユーザデータを伝送しようとする時、帯域幅要請ヘッダ伝送のための帯域幅を通じて帯域幅割当を要請する。これに比べて、図２Ｂのように帯域幅を一切割り当てない場合は、伝送するユーザデータがあるにもかかわらず帯域幅を要請する機会がないので、端末は、競合ベースの帯域幅要請手法（contention  bandwidth  request  opportunity）を用いるか、または、端末が実際ユーザデータの伝送とはかからわらずに基地局にチャネル品質などの制御情報を周期的に伝送する時に使用するチャネル（例えば、ＣＱＩＣＨ符号語（codeword）の伝送）を通じて帯域幅割当を要請する。ただし、図２Ａ、図２Ｂ両方とも、端末は沈黙区間でも通話区間と同一の周期及び大きさで睡眠ウィンド及び聴取ウィンドを繰り返し行う。
【００１０】
すなわち、ＥｒｔＰＳで沈黙区間に周期的に快適雑音が発生（例えば、ＡＭＲでは１６０ｍｓ当たり約７バイトのペイロードが発生する）すると、端末は、周期的に割り当てられた領域（Unicast  BR  opportunity）に帯域幅要請ヘッダを伝送する。もし、ＶｏＩＰサービスにＰＳＣが適用されるとすれば、睡眠ウィンド（sleep  window）の大きさは、通話区間または沈黙区間によらずにＵＧＩ（unsolicited  grant  interval）に基づいて一律的に定められる。したがって、データ伝送がなく、周期的に（例えば、ＡＭＲコーデックを使用する場合：１６０ｍｓごとに）快適雑音のみを生成する沈黙区間でも、基地局は周期的（例えば、２０ｍｓごとに）に帯域幅を割り当て、端末もまた、定められた睡眠ウィンド（例えば、２０ｍｓ）ごとに起きてダウンリンクトラフィックがあるか確認したり、伝送するデータがある時、割り当てられたリソースを用いて帯域幅要請を行う。実際に沈黙区間では睡眠ウィンドよりも長い時間（例えば、ＡＭＲでは１６０ｍｓ）ごとに雑音が生成されるため、固定大きさの睡眠ウィンド（例えば、２０ｍｓ）ごとに起きるということは、余計な電力消耗を招くことができる。
【発明の概要】
【発明が解決しようとする課題】
【００１１】
本発明は上記の点に鑑みてなされたもので、その目的は、沈黙抑制（silence  suppression）手法を支援する移動通信システムにおいてデータ送受信時に沈黙区間で端末の電力消耗を最小化する方法及びそれを支援する装置を提供することにある。
【課題を解決するための手段】
【００１２】
したがって、本発明は、従来技術の限界及び欠点に起因する一つ以上の問題を実質的に解消する、移動通信システムにおけるデータ送受信方法及びそれを支援する装置を対象とする。
【００１３】
上記の目的を達成するための本発明の一様相は、移動通信システムにおいて受信端でデータを送受信する方法を開示する。このために、送信端から送受信関連制御情報を受信し、該送受信関連制御情報から通話区間（talk  spurt）及び沈黙区間に対する電力消耗防止関連パラメータ情報のうち少なくとも一つを決定し、通話区間か沈黙区間かによって電力消耗防止関連パラメータ情報を適用して送信端からのデータを受信する。
【００１４】
好ましくは、当該決定された電力消耗防止関連パラメータ情報によって通話区間及び沈黙区間の相互切替時に送信端に切替要請情報を送信し、送信端から切替応答情報を受信する。
【００１５】
好ましくは、上記データは、通話区間及び沈黙区間で互いに同一のまたは異なる周期で受信される。
【００１６】
好ましくは、電力消耗防止関連パラメータ情報は、通話区間でデータ送信（grant）間隔を設定する第１周期に関する情報と、沈黙区間でポーリング（polling）間隔を設定する第２周期に関する情報を含む。
【００１７】
好ましくは、電力消耗防止関連パラメータ情報のうち少なくとも一つを決定する段階に応じて、切替要請情報には、通話区間及び沈黙区間に対する聴取周期及び睡眠周期に関する情報を含むまたは含まない。
【００１８】
好ましくは、沈黙区間におけるデータ受信周期と聴取周期は同一である。
【００１９】
好ましくは、電力消耗防止関連パラメータ情報は、沈黙区間で送信端に送信するＳＩＤ（Silence  Description）データの大きさ情報、沈黙区間で送信端にＳＩＤデータのために割り当てれる帯域幅周期情報のうち少なくとも一つをさらに含む。
【００２０】
好ましくは、上記方法は、通話区間と沈黙区間との切替のための段階をさらに含む。
【００２１】
本発明の他の様相は、移動通信システムにおいて受信端でデータを送受信する装置を開示する。この装置は、基地局とＶｏＩＰサービスのためのＱｏＳパラメータを交渉し、交渉されたＱｏＳパラメータを用いて通話区間（talk  spurt）に対する電力消耗防止クラス（Power  Saving  Class;  PSC）を定義してそれを活性化し、通話区間から沈黙区間に切り替わると、交渉されたＱｏＳパラメータを用いて沈黙区間に対するＰＳＣを再定義してそれを活性化し、沈黙区間から通話区間に切り替わると、交渉されたＱｏＳパラメータを用いて通話区間に対するＰＳＣを再定義してそれを活性化する制御部を含む。
【００２２】
本発明のさらに他の様相は、移動通信システムにおいて受信端でデータを送受信する装置を開示する。この装置は、基地局とＶｏＩＰサービスのためのＱｏＳパラメータを交渉し、交渉されたＱｏＳパラメータを用いて通話区間（talk  spurt）に対する第１電力消耗防止クラス（Power  Saving  Class;  PSC-1）と、沈黙区間（silence  period）のための第２電力消耗防止クラス（PSC-2）を定義し、通話区間から沈黙区間に切り替わるとＰＳＣ−１を選択してそれを活性化し、沈黙区間から通話区間に切り替わるとＰＳＣ−２を選択してそれを活性化する制御部を含む。
【００２３】
好ましくは、上記様相のいずれにおいても、ＶｏＩＰサービスには沈黙抑制（silence  suppression）手法が適用される。
【００２４】
好ましくは、ＰＳＣは、通話区間でＶｏＩＰサービスフローに対するデータ伝送（grant）間隔を設定する第１周期と、沈黙区間でＶｏＩＰサービスフローに対するポーリング（polling）間隔を設定する第２周期を含み、ここで、第２周期は第１周期よりも大きい値に設定される。
【００２５】
好ましくは、ＰＳＣは、通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含み、ここで、沈黙区間に対する非要求提供周期は、通話区間に対する非要求提供周期よりも大きい値に設定される。
【発明の効果】
【００２６】
本発明によると、沈黙抑制手法を支援する移動通信システムにおけるデータ通信サービスの沈黙区間で、端末の睡眠ウィンド大きさを快適雑音伝送周期と一致させることによって、余計な睡眠／聴取の反復による電力消耗を防止することができる。
【図面の簡単な説明】
【００２７】
【図１】ＵＧＳスケジューリングとＵＧＳに適用された電力消耗防止クラス（ＰＳＣ２）の概念を示す図である。
【図２Ａ】ＥｒｔＰＳのスケジューリングと、ＥｒｔＰＳに適用された電力消耗防止クラス（ＰＳＣ２）の概念を示す図である。
【図２Ｂ】ＥｒｔＰＳのスケジューリングと、ＥｒｔＰＳに適用された電力消耗防止クラス（ＰＳＣ２）の概念を示す図である。
【図３】実施例１によるＥｒｔＰＳのスケジューリングとＥｒｔＰＳに適用された電力消耗防止クラス（ＰＳＣ２）の概念を示す図である。
【図４】実施例１のＰＳＣを用いてＶｏＩＰサービスを受ける過程を示す信号流れ図である。
【図５】実施例２によるＥｒｔＰＳのスケジューリングとＥｒｔＰＳに適用された電力消耗防止クラス（ＰＳＣ２）の概念を示す図である。
【図６】実施例２のＰＳＣを用いてＶｏＩＰサービスを受ける過程を示す信号流れ図である。
【図７】実施例３によるＥｒｔＰＳのスケジューリングとＥｒｔＰＳに適用された電力消耗防止クラス（ＰＳＣ２）の概念を示す図である。
【図８】実施例３のＰＳＣを用いてＶｏＩＰサービスを受ける過程を示す信号流れ図である。
【図９】実施例４によるＥｒｔＰＳのスケジューリングとＥｒｔＰＳに適用された電力消耗防止クラス（ＰＳＣ２）の概念を示す図である。
【図１０】実施例４のＰＳＣを用いてＶｏＩＰサービスを受ける過程を示す信号流れ図である。
【図１１】本発明の他の実施例で提案するＱｏＳパラメータを使用する端末と基地局間の連結手順を示す図である。
【図１２】本発明の実施例５で提案する実時間パケットサービスにおいてスケジュールリング方法を示す図である。
【図１３】本発明の実施例６で提案する実時間パケットサービスにおいてスケジュールリング方法を示す図である。
【図１４】本発明の実施例７で提案する実時間パケットサービスにおいてスケジュールリング方法を示す図である。
【図１５】本発明の移動端末の構成を示すブロック図である。
【発明を実施するための形態】
【００２８】
以下、添付の図面に基づいて本発明の好適な実施例を詳細に説明する。添付の図面と共に以下に開示される詳細な説明は、本発明を例示するためのもので、本発明が実施できる唯一の実施形態を意味するものではない。以下に説明される実施例は、本発明の技術的特徴がＩＥＥＥ  ８０２．１６ｍという４世代移動通信システムに適用された例であり、Ｅ−ＵＭＴＳ（Evolved  Universal  Mobile  Telecommunications  System）のＬＴＥ（Long  Term  Evolution）、ワイブロ（Wibro）システムのような類似する他の移動通信システムにも適用できるということは明白である。以下の技術は、多重アンテナを使用する方式を含め、多様な通信システムに適用されることができる。
【００２９】
この通信システムは、音声、パケットデータなどのような多様な通信サービスを提供するために広く配備される。また、上記技術は、ダウンリンク（downlink）またはアップリンク（uplink）に使用されることができる。ダウンリンクは、基地局（base  station;  BS）から端末（mobile  station;  MS）への通信を意味し、アップリンクは、端末から基地局への通信を意味する。
【００３０】
基地局は主に、端末と通信する固定した地点（fixed  station）を指し、ノードＢ（node-B）、ＢＴＳ（base  transceiver  system）、アクセスポイント（access  point）等の他の用語（terminology）としても呼ばれることができる。端末は、固定されたり移動性を有したりすることができ、ＵＥ（user  equipment）、ＵＴ（user  terminal）、ＳＳ（subscriber  station）、ＭＳ（Mobile  station）、無線機器（wireless  device）等の他の用語としても呼ばれることができる。
【００３１】
一般に、通信システムは、送信機（transmitter）と受信機（receiver）を含む。ここで、送信機と受信機は、送信機能と受信機能を全て行う送受信機（transceiver）とすることもできる。ただし、フィードバックに関する説明を明確にするために、一般データの伝送を担当するいずれか一方を送信機とし、送信機にフィードバックデータを伝送する他方を受信機とする。
【００３２】
ダウンリンクにおいて、送信機は基地局の一部分（part）となり、受信機は端末の一部分となりうる。アップリンクにおいて、送信機は端末の一部分となり、受信機は基地局の一部分となりうる。基地局は、複数の受信機と複数の送信機を含むことができ、端末は、複数の受信機と複数の送信機を含むことができる。
【００３３】
以下では、広帯域無線接続システムを取り上げて説明し、沈黙区間において聴取／睡眠の頻繁な反復による端末の電力浪費を防止するために、沈黙区間（silence  period）の睡眠ウィンド（sleep  window）大きさと通話区間（talk  spurt）の睡眠ウィンド大きさとが互いに異なるように設定することを基本原理とする、様々な実施例について詳細に説明する。
【００３４】
以下の実施例では、睡眠ウィンドの大きさを沈黙／通話区間別に異なって設定するために、音声サービスに対するフロー生成時に端末と基地局が互いに交換するＱｏＳ（Quality  of  Service）パラメータセットのうちの特定項目を用いて沈黙区間の睡眠ウィンド大きさを設定する方式を用いる。ここで、音声サービスの一例として、沈黙抑制（silence  suppression）手法を支援するＶｏＩＰサービスなどのような拡張された実時間ポーリングサービス（extended  real-time  polling  service;  ERT-PS）を挙げることができる。そして、ＱｏＳパラメータセットの特定項目は、従来に存在するパラメータ項目のうちいずれか一つとしても良く、上記の方式を具現するための新しいパラメータ項目を定義することもできる。後者によるＱｏＳパラメータセットの一例を、下記に示す。
【００３５】
【表１】
2010529707.tif 000003
表１で、非要求ポーリング周期（Unsolicited  Polling  Interval）項目は、ＥＲＴ−ＰＳフローのための連続したポーリング提供区間（successive  polling  grants  opportunities）同士間の最大予定周期（maximum  nominal  interval）を示し、前述のように、沈黙区間で睡眠ウィンドの大きさを決定するのに使用される。非要求ポーリング周期は、沈黙区間で生成される雑音トラフィックの周期（例えば、ＡＭＲで１６０ｍｓ）に相応するように設定されることができる。沈黙区間で使用される残りのパラメータ項目（Maximum  Sustained  Traffic  Rate、Traffic  Priority、Request/Transmission  Policy）は、既存に定義されたものをそのまま使用すれば良い。
【００３６】
非要求ポーリング周期をＰＳＣに適用する方式は様々に変形されることができ、これを実施例別に詳細に説明すると、下記のとおりである。
【００３７】
＜実施例１＞
本実施例は、一つのサービスフローに対して一つのＰＳＣを定義するもので、このＰＳＣの定義のために表１のＱｏＳパラメータセットを使用する場合に関する。
【００３８】
図３は、本実施例によるＥｒｔＰＳのスケジューリングと、ＥｒｔＰＳに適用された電力消耗防止クラス（ＰＳＣ２）の概念を示す図である。ここで、ＥｒｔＰＳは一例に過ぎず、ＥｒｔＶＲ（Extended  Real-Time  Variable  Rate  Service）などのように沈黙抑制手法が適用される実時間パケット伝送サービスにも同一に適用可能である。これは、以降説明する他の実施例においても同様である。
【００３９】
本実施例では、一つのサービスフローに対して一つのＰＳＣを定義し、通話区間と沈黙区間との切替がなされる度に特定ＰＳＣパラメータを変更し、ＰＳＣを再定義する。区間切替によって変更しなければならないＰＳＣパラメータの一例に、聴取ウィンド及び／または睡眠ウィンドの大きさがある。
【００４０】
図３に示すように、通話区間ではＥｒｔＰＳに対して表１の非要求提供周期（Unsolicited  Grant  Interval）によって２０ｍｓ周期ごとに音声トラフィック伝送のための第１リソースが割り当てられ、ＰＳＣに対しても上記と同じ周期で聴取ウィンドが配置される。聴取ウィンドの配置周期は睡眠ウィンドの大きさと同一なので、睡眠ウィンドの大きさは２０ｍｓとなる。
【００４１】
沈黙区間では、表１の非要求ポーリング周期（Unsolicited  Polling  Interval）によってＢＲヘッダ及び快適雑音伝送のための第２リソースが割り当てられる。ただし、沈黙区間では通信維持のために快適雑音のみを時々伝送すれば足りるので、第２リソースの割当周期は、第１リソースの割当周期よりも大きく設定されることが好ましい。図３には、第２リソースの割当周期を１６０ｍｓに設定した例が示されている。
【００４２】
この時、ＰＳＣにおいて、聴取ウィンドの大きさは、ＢＲヘッダ及び快適雑音の伝送のために割り当てられたリソースの大きさに基づいて（例では、同一に）配置され、睡眠ウィンドの大きさは、第２リソースの割当周期に基づいて（例では、同一に）配置される。したがって、沈黙区間でＢＲヘッダ及び快適雑音が間欠的に伝送されるにもかかわらずに通話区間と同じパターンで聴取／睡眠ウィンドが配置されることによって端末が余計に活性／非活性を反復することを防止することができる。
【００４３】
次に、本実施例のＰＳＣを用いてＶｏＩＰサービスを受ける過程を、図４を参照して詳細に説明する。
【００４４】
端末は、基地局とＤＳＡ−ＲＥＱ及びＤＳＡ−ＲＳＰメッセージを交換してＶｏＩＰサービスのためのＱｏＳパラメータを交渉する（Ｓ１０１）。ＶｏＩＰのような実時間パケットサービスでサービス流れ（flow）の生成は、動的サービス追加（Dynamic  Service  Addition；以下、“ＤＳＡ”という。）によってなる。すなわち、ＶｏＩＰのような応用サービスの場合、送信しようとする側でＭＡＣ階層のＭＡＣ管理メッセージであるＤＳＡＲＥＱ（Request）を送り、これを受信した側が、その応答であるＤＳＡ−ＲＳＰ（Response）を送る。そこで、端末がＶｏＩＰサービスのようなサービス流れの生成を必要とする場合、端末と基地局は、ＭＡＣ管理メッセージであるＤＳＡ−ＲＥＱ及びＤＳＡ−ＲＳＰを用いてサービス流れ生成手順を行う。そして、上記過程を通じて交渉されたＱｏＳパラメータの非要求提供周期（unsolicited  grant  interval）を用いてＰＳＣを定義してそれを活性化する（Ｓ１０３）。図３の一例によると、非要求提供周期は２０ｍｓと設定されているので、ＰＳＣの睡眠ウィンドはいずれも２０ｍｓと定義される。
【００４５】
端末は、通話区間（talk  spurt）から沈黙区間（silence  period）への切替を感知すると、沈黙区間に適切なＰＳＣを定義し、これを活性化するために睡眠ウィンド大きさを含むＳＬＰ−ＲＥＱ（Sleep  Request）を基地局に伝送する（Ｓ１０５）。この時、睡眠ウィンドの大きさは、ＱｏＳパラメータの非要求ポーリング周期（unsolicited  polling  interval）に基づいて定義される。図３の一例によると、非要求ポーリング周期は１６０ｍｓと設定されているので、睡眠ウィンドを１６０ｍｓと再定義する。
【００４６】
基地局は、端末からＳＬＰ−ＲＥＱを受信すると、サービスフローの状態を沈黙区間と判断し、ＳＬＰ−ＲＥＱに対する応答としてＳＬＰ−ＲＳＰ（Sleep  Response）を伝送した後、指定された時間にサービスに対するＰＳＣを再活性化する（Ｓ１０７）。
【００４７】
続いて、基地局は、ＱｏＳパラメータの非要求ポーリング周期（unsolicited  polling  interval）を用いて、端末に帯域幅要請ヘッダ（bandwidth  request  header；ＢＲヘッダ）の伝送のための帯域幅を周期的に割り当て、端末は、設定された睡眠ウィンドと聴取ウィンドを通じてＰＳＣを動作させる。
【００４８】
端末に沈黙区間から通話区間への切替が感知されると、端末は、非要求提供周期（unsolicited  grant  interval）に基づいて定義された睡眠（または就寝）ウィンド大きさを基地局に伝送し、ＰＳＣ再定義及び再活性化を要請する。この時、再定義された睡眠ウィンド大きさは、ＳＬＰ−ＲＥＱを通じて基地局に伝送される（Ｓ１０９）。
【００４９】
ＳＬＰ−ＲＥＱを受信した基地局は、現在状態を通話区間と判断し、端末にＳＬＰ−ＲＳＰを伝送する（Ｓ１１１）。そして、非要求提供周期（unsolicited  grant  interval）に基づいて帯域幅を割り当てる。もし、基地局が通話区間と沈黙区間との切替を感知した場合は、端末にＳＬＰ−ＲＳＰを伝送して状態切替事実を知らせることができ、これで、端末と基地局はＳＬＰ−ＲＳＰに指定されたパラメータを用いて各状態に合う電力消耗防止手法を適用させる。
【００５０】
＜実施例２＞
本実施例は、一つのＶｏＩＰサービスフローに対して通話区間のためのＰＳＣ（ＰＳＣ−１）と沈黙区間のためのＰＳＣ（ＰＳＣ−２）を別に定義するもので、各ＰＳＣの定義のために表１のＱｏＳパラメータセットを用いる場合に関する。
【００５１】
図５は、本実施例によるＥｒｔＰＳのスケジューリングと、ＥｒｔＰＳに適用された電力消耗防止クラス（ＰＳＣ−１、ＰＳＣ−２）の概念を示す図である。
【００５２】
図５に示すように、通話区間に対して睡眠ウィンドが２０ｍｓであるＰＳＣ−１が定義され、沈黙区間に対して睡眠ウィンドが１６０ｍｓであるＰＳＣ−２が定義される。ここで、通話区間の睡眠ウィンドは、表１の非要求提供周期（Unsolicited  Grant  Interval）を参照して定義され、沈黙区間の睡眠ウィンドは、表１の非要求ポーリング周期（Unsolicited  Polling  Interval）を参照して定義される。したがって、通話区間と沈黙区間とが互いに切り替わる度に新しくＰＳＣを再定義するのではなく、該当の区間に対してあらかじめ定義されたＰＳＣ−１及びＰＳＣ−２を交互に選択して使用する。
【００５３】
次に、本実施例のＰＳＣを用いてＶｏＩＰサービスを受ける過程を、図６を参照して詳細に説明する。
【００５４】
ＶｏＩＰサービスフローが生成された後、端末と基地局はＤＳＡ−ＲＥＱ及びＤＳＡ−ＲＳＰを交換することによって、ＶｏＩＰサービスのために要求されるＱｏＳパラメータを交渉し、それぞれＶｏＩＰサービスフローを生成する（Ｓ２０１）。
【００５５】
そして、端末と基地局は、ＳＬＰ−ＲＥＱ及びＳＬＰ−ＲＳＰを通じて上記の交渉（Ｓ２０１）で定義したＱｏＳパラメータのうち、非要求提供周期（unsolicited  grant  interval）と非要求ポーリング周期（unsolicited  polling  interval）を用いて通話区間のためのＰＳＣ−１と沈黙区間のためのＰＳＣ−２をそれぞれ定義した後、通話の開始とともにＰＳＣ−１を活性化させる（Ｓ２０３）。
【００５６】
端末に通話区間で沈黙区間への切替が感知されると、端末は、ＳＬＰ−ＲＥＱを基地局に伝送してＰＳＣ−２を活性化し、ＰＳＣ−１を非活性化することを要請する（Ｓ２０５）。基地局は、端末からＳＬＰ−ＲＥＱを受信すると、サービスフローの状態を沈黙区間と判断し、要請に応じてＰＳＣ−２を活性化した後、ＳＬＰ−ＲＥＱに対する応答としてＳＬＰ−ＲＳＰを端末に伝送する（Ｓ２０７）。続いて、基地局は、端末が帯域幅要請ヘッダ（BR  header）を伝送できるように非要求ポーリング周期（unsolicited  polling  interval）にしたがって周期的に帯域幅を割り当て、ＳＬＰ−ＲＳＰを受信した端末は、ＰＳＣ−２を活性化し、ＰＳＣ−１を非活性化させる。
【００５７】
ここで、ＳＬＰ−ＲＥＱの代わりに帯域幅要請及びアップリンク睡眠制御ヘッダ（BR  and  UL  Sleep  control  header）のような他の用途のチャネルを使用することができ、これに対する応答としてダウンリンク睡眠制御拡張サブヘッダ（DL  Sleep  control  extended  subheader）を使用することができる。
【００５８】
端末に沈黙区間から通話区間への変更が感知されると、端末は、基地局にＳＬＰ−ＲＥＱを伝送することで、ＰＳＣ−１を活性化し、ＰＳＣ−２を非活性化することを要請する（Ｓ２０９）。ＳＬＰ−ＲＥＱを受信した基地局は、現在状態を通話区間と判断し、ＰＳＣ−１を活性化し、この要請に対する応答としてＳＬＰ−ＲＳＰを端末に伝送する。そして、非要求提供周期（unsolicited  grant  interval）に基づいて端末に帯域幅を周期的に割り当てる。
【００５９】
一方、基地局は、通話区間と沈黙区間との切替を感知すると、非要求ＳＬＰ−ＲＳＰ（unsolicited  SLP-RSP）またはダウンリンク睡眠制御拡張サブヘッダ（DL  Sleep  control  extended  subheader）を伝送することによって端末に状態切替を知らせることもできる。
【００６０】
以上では沈黙区間に対する非要求ポーリング周期をさらに定義したＱｏＳパラメータセットを用いてＶｏＩＰサービスを行う実施例について説明した。以下では、通話区間に対するパラメータと沈黙区間に対するパラメータを別々に定義したＱｏＳパラメータセットを用いてＶｏＩＰサービスを行う実施例について説明する。
【００６１】
後者のＱｏＳパラメータセットの一例を、表２に示す。
【００６２】
【表２】
2010529707.tif 000004
表２に示すように、最大維持トラフィックレート（Maximum  Sustained  Traffic  Rate）、トラフィック優先順位（Traffic  Priority）、要請／伝送政策（Request/Transmission  Policy）、非要求提供周期（Unsolicited  Grant  Interval）は、通話区間のためのものと沈黙区間のためのものが別に定義される。基地局が沈黙区間を感知すると、沈黙区間のための最大維持トラフィックレート（SILENCE  Maximum  Sustained  Traffic  Rate）の大きさに合う帯域幅を沈黙区間のための非要求提供周期（SILENCE  Unsolicited  Grant  Interval）ごとに基地局に割り当てる。次に、表２のＱｏＳパラメータを用いてＶｏＩＰサービスを行う実施例について説明する。
【００６３】
＜実施例３＞
本実施例は、一つのサービスフローに対して一つのＰＳＣを定義するもので、ＰＳＣの定義のために表２のＱｏＳパラメータセットを用いる場合に関する。
【００６４】
図７は、本実施例によるＥｒｔＰＳのスケジューリングとＥｒｔＰＳに適用された電力消耗防止クラス（ＰＳＣ２）の概念を示す図である。
【００６５】
図７に示すように、通話区間ではＥｒｔＰＳに対して表２の非要求提供周期（Unsolicited  Grant  Interval）によって２０ｍｓ周期で音声トラフィック伝送のための第１リソースが割り当てられ、ＰＳＣに対しても上記と同じ周期で聴取ウィンドが配置される。したがって、睡眠ウィンドの大きさは２０ｍｓとなる。
【００６６】
沈黙区間では、表１の非要求ポーリング周期（Unsolicited  Polling  Interval）によって快適雑音伝送のための第２リソースが割り当てられる。ただし、沈黙区間では通信維持のために快適雑音のみを時々伝送すれば足りるので、例えば、第１リソースが２０ｍｓの周期で割り当てられるとすれば、第２リソースは第１リソースよりも大きい１６０ｍｓと設定されることが好ましい。一方、ＰＳＣにおいて聴取ウィンドの大きさはＢＲヘッダ及び快適雑音の伝送のために割り当てられたリソースの大きさと同一に配置され、睡眠ウィンドの大きさは第２リソースの割当周期に基づいて（例では、同一に）配置される。
【００６７】
本実施例のＰＳＣを用いてＶｏＩＰサービスを受ける過程を、図８を参照して詳細に説明すると、下記の通りである。
【００６８】
端末は、基地局とＤＳＡ−ＲＥＱ及びＤＳＡ−ＲＳＰメッセージを交換してＶｏＩＰサービスのためのＱｏＳパラメータを交渉する（Ｓ３０１）。そして、交渉されたＱｏＳパラメータの非要求提供周期（unsolicited  grant  interval）を用いてＰＳＣを定義し、それを活性化する（Ｓ３０３）。図８の一例によると、非要求提供周期は２０ｍｓに設定されているので、ＰＳＣの睡眠ウィンドはいずれも２０ｍｓと定義される。
【００６９】
端末は、通話区間（talk  spurt）から沈黙区間（silence  period）への切替を感知すると、沈黙区間に適切なＰＳＣを定義しそれを活性化するために、睡眠ウィンド大きさを含むＳＬＰ−ＲＥＱを基地局に伝送する（Ｓ３０５）。この時、睡眠ウィンドの大きさは、ＱｏＳパラメータの沈黙非要求提供周期（Silence  unsolicited  grant  interval）に基づいて定義される。図８の一例によると、沈黙非要求提供周期は１６０ｍｓに設定されているので、ＰＳＣの睡眠ウィンドは１６０ｍｓと再定義される。
【００７０】
基地局は、端末からＳＬＰ−ＲＥＱを受信すると、サービスフローの状態を沈黙区間（silence  period）と判断し、ＳＬＰ−ＲＥＱに対する応答としてＳＬＰ−ＲＳＰを伝送した後、指定された時間にサービスに対するＰＳＣを再活性化する（Ｓ３０７）。
【００７１】
続いて、基地局は、ＱｏＳパラメータの沈黙非要求提供周期（Silence  unsolicited  grant  interval）を用いて端末に快適雑音（comfort  noise）の伝送のための帯域幅を周期的に割り当て、端末は、設定された睡眠ウィンド及び聴取ウィンドを通じてＰＳＣを動作させる。
【００７２】
端末に沈黙区間から通話区間への切替が感知されると、端末は、非要求提供周期（unsolicited  grant  interval）に基づいて定義された睡眠ウィンド大きさを基地局に伝送し、ＰＳＣ再定義及び再活性化を要請する。この時、再定義された睡眠ウィンド大きさは、ＳＬＰ−ＲＥＱを通じて基地局に伝送される（Ｓ３０９）。
【００７３】
ＳＬＰ−ＲＥＱを受信した基地局は、現在状態を通話区間と判断し、端末にＳＬＰ−ＲＳＰを伝送する（Ｓ３１１）。そして、非要求提供周期（unsolicited  grant  interval）に基づいて帯域幅を割り当てる。もし、基地局が通話区間と沈黙区間との切替を感知した場合は、端末にＳＬＰ−ＲＳＰを伝送して状態切替事実を知らせることができ、これで、端末と基地局は、ＳＬＰ−ＲＳＰに、指定されたパラメータを用いて各状態に合う電力消耗防止手法を適用させる。
【００７４】
＜実施例４＞
本実施例は、一つのＶｏＩＰサービスフローに対して通話区間のためのＰＳＣ（ＰＳＣ-１）と沈黙区間のためのＰＳＣ（ＰＳＣ-２）を別に定義するもので、各ＰＳＣの定義のために表２のＱｏＳパラメータセットを利用する場合に関する。
【００７５】
図９は、本実施例によるＥｒｔＰＳのスケジューリングとＥｒｔＰＳに適用された電力消耗防止クラス（ＰＳＣ−１、ＰＳＣ−２）の概念を示す図である。
【００７６】
図９に示すように、通話区間に対して睡眠ウィンドが２０ｍｓであるＰＳＣ-１が定義され、沈黙区間に対して睡眠ウィンドが１６０ｍｓであるＰＳＣ−２が定義される。ここで、通話区間の睡眠ウィンドは、表２の非要求提供周期（Unsolicited  Grant  Interval）を参照して定義され、沈黙区間の睡眠ウィンドは、表２の睡眠非要求提供周期（Silence  unsolicited  grant  Interval）を参照して定義される。したがって、通話区間と沈黙区間とが互いに切り替わる度に新しくＰＳＣを再定義するのではなく、該当の区間に対してあらかじめ定義されたＰＳＣ−１及びＰＳＣ−２を交互に選択して使用する。
【００７７】
本実施例のＰＳＣを用いてＶｏＩＰサービスを受ける過程を、図１０を参照して詳細に説明する。
【００７８】
ＶｏＩＰサービスフローが生成された後、端末と基地局は、ＤＳＡ−ＲＥＱ及びＤＳＡ−ＲＳＰを交換することによって、ＶｏＩＰサービスのために要求されるＱｏＳパラメータを交渉し、それぞれＶｏＩＰサービスフローを生成する（Ｓ４０１）。
【００７９】
そして、端末と基地局は、ＳＬＰ−ＲＥＱ及びＳＬＰ−ＲＳＰを通じて上記の交渉（Ｓ４０１）で交換したＱｏＳパラメータのうち、非要求提供周期（unsolicited  grant  interval）と沈黙非要求提供周期（Silence  unsolicited  grant  interval）を用いて通話区間に対するＰＳＣ−１と沈黙区間に対するＰＳＣ−２をそれぞれ定義した後、通話の開始とともにＰＳＣ−１を活性化させる（Ｓ４０３）。
【００８０】
端末に通話区間から沈黙区間への切替が感知されると、端末は、ＳＬＰ−ＲＥＱを基地局に伝送することで、ＰＳＣ-２を活性化し、ＰＳＣ−１を非活性化することを要請する（Ｓ４０５）。基地局は、端末からＳＬＰ−ＲＥＱを受信すると、サービスフローの状態を沈黙区間と判断し、上記要請に応じてＰＳＣ−２を活性化した後、ＳＬＰ−ＲＥＱに対する応答としてＳＬＰ−ＲＳＰを端末に伝送する（Ｓ４０７）。続いて、基地局は、ＱｏＳパラメータの沈黙非要求提供周期（Silence  unsolicited  grant  interval）を用いて端末に快適雑音（comfort  noise）の伝送のための帯域幅を周期的に割り当て、ＳＬＰ−ＲＳＰを受信した端末はＰＳＣ−２を活性化し、ＰＳＣ−１を非活性化させる。ここで、ＳＬＰ−ＲＥＱの代わりに帯域幅要請及びアップリンク睡眠制御ヘッダ（BR  and  UL  Sleep  control  header）のような他の用途のチャネルを使用することもでき、これに対する応答としてダウンリンク睡眠制御拡張サブヘッダ（DL  Sleep  control  extended  subheader）を使用することができる。
【００８１】
沈黙区間から通話区間への変更が感知されると、端末は基地局にＳＬＰ−ＲＥＱを伝送し、ＰＳＣ−１を活性化してＰＳＣ−２を非活性化することを要請する（Ｓ４０９）。ＳＬＰ−ＲＥＱを受信した基地局は、現在状態を通話区間と判断し、ＰＳＣ−１を活性化し、上記要請に対する応答としてＳＬＰ−ＲＳＰを端末に伝送する。そして、非要求提供周期（unsolicited  grant  interval）に基づいて端末に帯域幅を周期的に割り当てる。
【００８２】
以上で説明した実施例１〜実施例４において、通話区間と沈黙区間との切替を感知するために、端末は所定のカウンター及び／またはタイマーを備える。
【００８３】
すなわち、通話区間で、端末は、カウンターをあらかじめ定められた初期値に設定した後、非要求提供周期ごとにトラフィックの存在有無をチェックし、トラフィックが存在しないとカウンターを１ずつ減少させる。カウンターが０まで減少すると、端末は、現在状態を沈黙区間と判断する。カウンター方式は、沈黙区間でも非要求提供周期ごとにカウンターをリセットしなければならないという面倒さから、通話区間で有利に使用される。
【００８４】
また、端末は、タイマーをあらかじめ定められた初期値に設定した後、非要求提供周期ごとにトラフィックの存在有無をチェックし、あらかじめ定められた時間内にトラフィックが到着しないと、現在状態を沈黙区間と判断する。タイマー方式は、沈黙区間において上記のカウンターにおけるようなリセット過程が不要なため、沈黙区間で有利に使用されることができる。
【００８５】
端末は、カウンター及びタイマーを同時に備えることができ、沈黙区間から通話区間への切替はカウンターを用いて感知し、通話区間から沈黙区間への切替はタイマーを用いて感知することができる。
【００８６】
次に、通話区間と沈黙区間との相互切替においてカウンターまたはタイマーを利用せずに、初期ＱｏＳパラメータ交換過程で獲得された制御情報を用いて区間の相互切替を行う方法に関する実施例及び別の明示的な切替命令を通じて区間の相互切替を行う実施例について説明する。
【００８７】
下記の実施例は、表２に沈黙区間のためのパラメータをさらに定義したＱｏＳパラメータセットを用いてＶｏＩＰサービスを行う実施例である。これらの実施例について説明すると、下記の通りである。
【００８８】
これらの実施例は、一つのサービスフローに対して通話区間及び沈黙区間に一つのＰＳＣを定義したり、各区間別に互いに異なるＰＳＣを定義する両者の場合において表３の新しいＱｏＳパラメータを付加し、ＶｏＩＰサービスを行う過程に関する。これら下記の実施例では、上述した電力防止のための沈黙区間における聴取区間と快適雑音（以下では、ＳＩＤパケットデータ）の受信周期を一致させることによって受信端における電力消耗を防止するための機能は、実施例１〜実施例４と同一なので、その説明は省略する。これら下記の実施例は、沈黙抑制動作における、本発明で提案する他の新しいＱｏＳパラメータ及びこれを用いた沈黙抑制方法を提案する。これらの実施例のために新しく提案されたＱｏＳパラメータは、下記の通りである。
【００８９】
【表３】
2010529707.tif 000005
端末は、基地局とＤＳＡ−ＲＥＱ及びＤＳＡ−ＲＳＰメッセージを交換し、ＶｏＩＰのような実時間パケットサービスのための表２及び表３のパラメータを含むＱｏＳパラメータを交渉する。ＵＧＩｓは、沈黙区間で基地局が端末に帯域幅を割り当てる間隔を表す。ＳＩＤ（Silence  Description）パケットデータは、沈黙区間で端末が基地局に伝送する快適雑音であり、下記の実施例別にその大きさなどが異なってくることができる。基地局は、端末からの帯域幅要請大きさが０の時、表３の設定されたパラメータを適用して端末に帯域幅を周期的に割り当てることができる。または、基地局は、端末からＶｏＩＰのような実時間パケットサービス連結に対してＳＩＤパケット大きさと等しいまたは小さい大きさの帯域幅要請を受けた時、端末が要請した大きさの帯域幅をＵＧＩｓごとに端末に割り当てる。この端末は、基地局から割り当てられたリソースを用いてＳＩＤパケットデータを伝送する。
【００９０】
図１１は、本発明の他の実施例で提案するよるＱｏＳパラメータを用いる端末と基地局間の連結手順を示す図である。
【００９１】
端末は基地局とＤＳＡ−ＲＥＱ及びＤＳＡ−ＲＳＰ（または、ＤＳＣ−ＲＥＱ及びＤＳＣ−ＲＳＰ）メッセージを交換し、表３に示す沈黙区間支援パラメータ（ＵＧＩｓ、ＳＩＤパケット大きさ）を含むＶｏＩＰサービスのための初期ＱｏＳパラメータを交渉する（Ｓ５１０）。このＱｏＳパラメータは、表２の通話区間におけるＰＳＣのような非要求提供周期（unsolicited  grant  interval）における動作と関連したパラメータを含むことができる。この時、沈黙区間におけるＵＰＩの代わりに表３のＵＧＩｓが用いられるので、ＵＰＩは不要になる。これらのＱｏＳパラメータの情報を端末と基地局の両方が持っている状態で、端末が通話区間の間にＶｏＩＰパケットを伝送する（Ｓ５２０）。端末が沈黙区間であることを感知すると（Ｓ５２５）、端末は、基地局に沈黙区間であるということを知らせる（Ｓ５３０）。基地局が沈黙区間であることを感知すると（Ｓ５３５）、初期ＱｏＳ交渉過程（Ｓ５１０）で得られた本発明で提案するＵＧＩｓ及びＳＩＤパケットデータ大きさＱｏＳパラメータ情報を用いて端末にリソースを割り当てる（Ｓ５４０）。端末は、この割り当てられたリソースを通じてＳＩＤパケットデータを伝送する（Ｓ５５０）。上記動作過程を具体的に適用した実施例を、以下に説明する。
【００９２】
＜実施例５＞
図１２は、本発明の実施例５で提案する実時間パケットサービスにおけるスケジュールリング方法を示す図である。図１２に示す実施例５は、基地局が、端末が要請した帯域幅の大きさが０に設定された時、沈黙区間と判断し、表３のＵＧＩｓとＳＩＤパケットデータ大きさを用いて端末に帯域幅を割り当てることを特徴とする。
【００９３】
図１２で、端末は、通話区間（talk  spurt）の間に自身の上位階層である応用階層のボコーダなどでＳＩＤ（Silence  Description）パケットデータを生成すると、沈黙区間と判断する。ここで、ＳＩＤパケットデータは、ＯＳＩ（Open  System  Interconnection）の階層で最上位階層に該当する応用（application）で生成されたパケットデータであり、ボコーダなどで生成されるダミー（dummy）データである。実施例１〜実施例４で言及された快適雑音と同様の役割を果たす。このＳＩＤパケットは、端末と基地局の立場では通話区間における実際通話データと見なすこともでき、ボコーダの立場では沈黙区間におけるダミーデータと見なすこともできる。以下では、最初ＳＩＤパケットデータを伝送する時点から沈黙区間の開始と見なす。端末は、この最初ＳＩＤパケットデータを、通話区間でのデータパケットを伝送する時に使用するように割り当てられたリソース領域を通じて基地局に伝送する。この時、このＳＩＤパケットデータは、基地局に帯域幅管理需要を基地局に伝達するために端末により使用される制御情報（例えば、ＩＥＥＥ  ８０２．１６ｍにおけるＧＭＳＨ）であり、この最初ＳＩＤパケットデータの大きさ情報を含む制御情報を含めて伝送する。この最初ＳＩＤパケットデータを含む制御情報を受信した基地局は、通話区間におけるデータパケット伝送区間（ＵＧＩ）に、ＳＩＤパケットデータ大きさに合うリソース（例えば、帯域幅）を割り当てる。このリソース割当を通じて最初のＳＩＤパケットデータを伝送した端末は、次のＵＧＩ周期からリソースが割り当てられたが、該割り当てられたリソース領域を通じて伝送するＳＩＤパケットデータを持っていないと、２番目のＳＩＤパケットデータが生成されるまで、割り当てられたリソース領域を通じてＯＳＩ第２階層データ（MAC  data）に該当するパッディング（padding）パケットを伝送する。図１１の連結手順におけるＳ５１０過程を通じて表２のＵＧＩ情報も交渉するので、端末は最初のＳＩＤパケットデータから２番目のＳＩＤを伝送するまでは、ＵＧＩ周期でパッディングパケットを伝送する。すなわち、最初のＳＩＤパケットデータ伝送区間から沈黙区間ではあるものの、最初のＳＩＤパケットデータ伝送から後述する伝送データがないまでＵＧＩｓではなくＵＧＩ周期で動作することとなる。２番目のＳＩＤパケットデータが生成されると、端末は、最初のＳＩＤパケットデータ伝送を通じて割り当てられたリソース領域を通じて２番目のＳＩＤパケットデータを伝送する。２番目のＳＩＤパケットデータ伝送の後に次の伝送周期（すなわち、ＵＧＩ）まで伝送する実際通話データがないと、端末は、帯域幅要請（Bandwidth  Request;  BR）が０である帯域幅要請ヘッダ（Bandwidth  request  header）を基地局に伝送する。ＢＲ＝０と設定されたＢＲヘッダを受信した基地局は、ＶｏＩＰのような実時間パケットサービス連結を沈黙区間と判断し、表３のＵＧＩｓとＳＩＤパケットデータ大きさを用いて、端末にリソースを割り当てる。すなわち、端末は、表３のＵＧＩｓ周期とＳＩＤパケットデータ大きさで当該割り当てられたリソース領域を通じて３番目のＳＩＤ以降のＳＩＤパケットデータを伝送する。
【００９４】
＜実施例６＞
図１３は、本発明の実施例６で提案する実時間パケットサービスにおけるスケジュールリング方法を示す図である。実施例６では、基地局が、端末で要請した帯域幅のようなリソースの大きさがＳＤＩパケットデータ大きさよりも小さくまたは等しく設定された時、沈黙区間と判断し、表３のＵＧＩｓ及びＳＩＤパケットデータ大きさを用いて端末に帯域幅のようなリソースを割り当てる。その具体的な過程は、次の通りである。端末が通話区間（talk  spurt）の間に応用階層のような上位階層から最初のＳＩＤパケットデータ生成を感知すると、端末は、沈黙区間（silence  period）への進入と判断する。
【００９５】
端末は、最初のＳＩＤパケットデータを、基地局から割り当てられたリソース領域を通じて、図１１のＳ５１０過程で獲得した表２及び表３のパラメータを含むＱｏＳパラメータを用いて基地局に伝送する。この時、最初のＳＩＤパケットデータは、基地局に帯域幅管理需要を基地局に伝達するために端末により使用される制御情報であり、最初のＳＩＤパケットデータの大きさ情報、伝送されたデータが利用可能な現在フレームの前フレームの数を示す情報（フレーム潜在期間（frame  latency）という。）、及びフレーム潜在期間の利用可否を示す情報（frame  latency  indication;  FLI）を含めて伝送する。例えば、ＩＥＥＥ  ８０２.１６ｍにおけるＧＭＳＨの拡張ピギーバック（Extended  piggyback）がＳＩＤパケットデータ大きさに、ＦＬＩが１に、ＦＬ（frame  latency）値が２番目のＳＩＤパケットデータが伝送される時点（例えば、ＡＭＲにおいてＦＬは３）に、設定された場合を挙げることができる。
【００９６】
上記制御情報の含まれた最初のＳＩＤパケットデータを受けた基地局は、端末が沈黙区間に進入したと判断し、ＵＧＩｓ及びＳＩＤパケットデータ大きさを用いて端末に非要求提供（unsolicited  grant）を行う。本実施例のＳＩＤパケットデータ大きさは、ＶｏＩＰのような実時間パケットサービスの音声パケットのような実際サービスデータよりも相当小さいため、その大きさでもって基地局が沈黙区間に進入したと判断することができる。
【００９７】
具体例として、端末と基地局は、ＧＭＳＨのＦＬＩが１に設定されていると、ＦＬの後からＵＧＩｓとＳＩＤパケット大きさを適用する。すなわち、最初ＳＩＤからＦＬの後からＳＩＤパケットデータ大きさが適用された２番目のＳＩＤを伝送し、通話区間または通話終了時までＵＧＩｓ周期でＳＩＤパケットデータを伝送する。
【００９８】
基地局が端末からＳＩＤパケットデータ大きさ以上のリソース割当要請を受ける場合、基地局は、通話区間の開始と判断し、表２の通話区間のためのパラメータ（ＵＧＩ等）を用いて端末に周期的にリソースを割り当てる（非要求提供）。沈黙区間から通話区間への切替要請は、端末が競合ベースの帯域幅要請手法（contention  bandwidth  request  opportunity）を用いたり、端末が実際ユーザデータの伝送によらずに基地局にチャネル品質などの制御情報を周期的に伝送する時に使用するチャネル（例えば、ＣＱＩＣＨ符号語（codeword）の伝送）を用いてリソース割当要請などを通じて行う。
【００９９】
＜実施例７＞
図１４は、本発明の実施例７で提案する実時間パケットサービスにおけるスケジュールリング方法を示す図である。図１４は、通話区間と沈黙区間相互間の状態切替を要求する明示的なメッセージを用いて、基地局が沈黙区間と通話区間とを切替させる過程を示す図である。図１４で、端末が通話区間（talk  spurt）の間に応用階層のような上位階層から最初のＳＩＤ生成を感知すると、端末は、沈黙区間（silence  period）への進入と判断する。
【０１００】
端末は、最初のＳＩＤパケットデータを、基地局から割り当てられたリソース領域を通じて、図１１のＳ５１０過程で獲得した表２及び表３のパラメータを含むＱｏＳパラメータを用いて基地局に伝送する。この時、最初のＳＩＤパケットデータは、基地局に帯域幅管理需要を基地局に伝達するために端末により使用される制御情報であり、最初のＳＩＤパケットデータの大きさ情報、伝送されたデータが利用可能な現在フレームの前フレームの数を示す情報（フレーム潜在期間（frame  latency）という）、フレーム潜在期間の利用可否を示す情報及び切替命令を含む制御情報を含めて伝送する。例えば、ＩＥＥＥ  ８０２.１６ｍにおけるＧＭＳＨの拡張ピギーバック（Extended  piggyback）がＳＩＤパケット大きさに、ＦＬＩ（Frame  latency  indicator）が１に、ＦＬ（frame  latency）値が２番目のＳＩＤパケットデータが伝送される時点（例えば、ＡＭＲではＦＬが３）に、設定された場合を挙げることができる。上記切替命令は通話区間から沈黙区間への切替または沈黙区間から通話区間への切替を示したり、各切替ごとに別の切替命令を割り当てたりすることができる。
【０１０１】
上記切替命令を含む制御情報と共に最初のＳＩＤパケットデータを受けた基地局は、端末が沈黙区間に進入したと判断し、ＵＧＩｓ及びＳＩＤパケットデータ大きさを用いて端末に非要求提供（unsolicited  grant）を行う。実施例７の場合は、実施例６と違い、ＳＩＤのパケット大きさで判断しなくて済むので、ＳＩＤパケットデータ大きさに制限がない。
【０１０２】
具体例として、端末と基地局は、ＧＭＳＨのＦＬＩが１に設定されていると、ＦＬの後からＵＧＩｓとＳＩＤパケットデータ大きさを適用する。すなわち、最初のＳＩＤからＦＬの後からＳＩＤパケットデータ大きさが適用された２番目のＳＩＤパケットデータを伝送し、通話区間への切替命令受信または通話終了までＵＧＩｓ周期でＳＩＤパケットデータを伝送する。
【０１０３】
最後に、本発明の緊急通信方法を支援する移動端末の構造について説明する。図１５は、本発明の移動端末の構成を示すブロック図である。
【０１０４】
移動端末は、所望の機能を選択したり情報を入力する入力部１０１と、移動端末を運用するための様々な情報を表示する表示部１０３と、移動端末が動作する上で必要な各種プログラム、及び受信側に伝送するデータを格納するメモリ部１０５と、外部信号を受信し、受信側にデータを伝送する無線通信部１０７と、デジタル音声信号をアナログ音声信号に変換し増幅してスピーカーＳＰから出力したり、マイクＭＩＣからの音声信号を増幅してデジタル信号に変換する音声処理部１０９と、移動端末の駆動全般を制御する制御部１１１と、を含んでなる。
【０１０５】
特に、制御部１１１は、基地局とＶｏＩＰサービスのためのＱｏＳパラメータを交渉し、この交渉されたＱｏＳパラメータを用いて通話区間（talk  spurt）に対する電力消耗防止クラス（Power  Saving  Class;  PSC）を定義してそれを活性化し、通話区間から沈黙区間（silence  period）に切り替わると、上記交渉されたＱｏＳパラメータを用いて沈黙区間に対するＰＳＣを再定義してそれを活性化し、沈黙区間から通話区間に切り替わると、上記交渉されたＱｏＳパラメータを用いて通話区間に対するＰＳＣを再定義してそれを活性化する機能をさらに備える。
【０１０６】
また、選択的に制御部１１１は基地局とＶｏＩＰサービスのためのＱｏＳパラメータを交渉し、該交渉されたＱｏＳパラメータを用いて通話区間に対する第１電力消耗防止クラス（ＰＳＣ-１）と沈黙区間のため第２電力消耗防止クラス（ＰＳＣ−２）を定義し、通話区間から沈黙区間に切り替わると、ＰＳＣ−１を選択してそれを活性化し、沈黙区間から通話区間に切り替わると、ＰＳＣ−２を選択してそれを活性化する機能をさらに備えることができる。
【０１０７】
一方、本発明において移動端末は、ＰＤＡ（Personal  Digital  Assistant）、セルラーフォン、ＰＣＳ（Personal  Communication  Service）フォン、ＧＳＭ（Global  System  for  Mobile）フォン、ＷＣＤＭＡ（Wideband  CDMA）フォン、ＭＢＳ（Mobile  Broadband  System）フォンなどが利用可能である。
【産業上の利用可能性】
【０１０８】
したがって、本発明は、送信端から送受信関連制御情報を受信し、この送受信関連制御情報から通話区間及び沈黙区間に対する電力消耗防止関連パラメータ情報のうち少なくとも一つを決定し、通話区間か沈黙区間かによって電力消耗防止関連パラメータ情報を適用して送信端からのデータを受信するデータ送受信方法により、沈黙区間における余計なデータ受信動作を抑えることができる。
【０１０９】
以上では具体的な図面及び実施例に挙げて本発明を説明してきたが、本発明の属する技術分野における通常の知識を有する者にとっては、本発明の技術的思想を逸脱しない範囲内で様々な置換、変形及び変更が可能であるということは明らかである。
【図１】
2010529707.tif 000006
【図２Ａ】
2010529707.tif 000007
【図２Ｂ】
2010529707.tif 000008
【図３】
2010529707.tif 000009
【図４】
2010529707.tif 000010
【図５】
2010529707.tif 000011
【図６】
2010529707.tif 000012
【図７】
2010529707.tif 000013
【図８】
2010529707.tif 000014
【図９】
2010529707.tif 000015
【図１０】
2010529707.tif 000016
【図１１】
2010529707.tif 000017
【図１２】
2010529707.tif 000018
【図１３】
2010529707.tif 000019
【図１４】
2010529707.tif 000020
【図１５】
2010529707.tif 000021
【手続補正書】
【提出日】平成21年11月5日(2009.11.5)
【手続補正１】
【補正対象書類名】特許請求の範囲
【補正対象項目名】全文
【補正方法】変更
【補正の内容】
【特許請求の範囲】
【請求項１】
無線接続システムにおいてサービスデータを送受信する方法であって、
端末機で基地局と前記サービスデータを送信または受信するためのスケジューリングに用いられるパラメータを交渉するために動的サービス追加要請（ＤＳＡ−ＲＥＱ）メッセージを前記基地局に伝送し、
前記基地局からスケジューリングされた前記サービスデータに対する第１周期パラメータ及び第２周期パラメータを含む動的サービス追加応答（ＤＳＡ−ＲＳＰ）メッセージを受信し、
前記第１周期パラメータを優先的に用いて前記サービスデータを送信または受信すること、
を含み、
前記スケジューリングされたサービスデータの周期は、前記第１周期パラメータ及び前記第２周期パラメータ間で切り替わる、データ送受信方法。
【請求項２】
前記第１周期パラメータ及び前記第２周期パラメータ間の切替は、前記端末機が前記基地局に帯域幅要請メッセージを伝送することによって行われる、請求項１に記載のデータ送受信方法。
【請求項３】
前記第１周期パラメータ及び前記第２周期パラメータ間の切替は、前記スケジューリングに用いられるパラメータの交渉過程で前記第２周期パラメータが定義された場合に行われる、請求項１に記載のデータ送受信方法。
【請求項４】
前記スケジューリングされたサービスデータの特徴が変更された場合に、前記第１周期パラメータ及び前記第２周期パラメータ間で切替が行われる、請求項１に記載のデータ送受信方法。
【請求項５】
前記スケジューリングされたサービスデータの特徴は、前記スケジューリングされたサービスデータが伝送される区間が通話区間から沈黙区間へとまたは沈黙区間から通話区間へと切り替わる場合に変更される、請求項４に記載のデータ送受信方法。
【請求項６】
前記動的サービス追加応答（ＤＳＡ−ＲＳＰ）メッセージは、スケジューリングされた前記サービスデータの最大情報レート（peak  information  rate）を定義する最大維持トラフィック率（Maximum  Sustain  Traffic  Rate）パラメータ、及び関連したサービスフローに対する特定属性を規定する要請／伝送政策（Request/Transmission  Policy）パラメータをさらに含む、請求項１に記載のデータ送受信方法。
【請求項７】
前記スケジューリングは、グラント及びポーリングスケジューリングである、請求項１に記載のデータ送受信方法。
【請求項８】
前記動的サービス追加応答メッセージは、前記グラント及びポーリングスケジューリングに対する第１大きさパラメータ及び第２大きさパラメータをさらに含み、
前記グラント及びポーリングスケジューリングで用いられる大きさパラメータは、前記第１大きさパラメータ及び前記第２大きさパラメータ間で切り替わる、請求項７に記載のデータ送受信方法。
【請求項９】
無線接続システムにおいてサービスデータを送信または受信する方法であって、
端末機から前記サービスデータを送信または受信するためのスケジューリングに用いられるパラメータを交渉するための動的サービス追加要請（ＤＳＡ−ＲＥＱ）メッセージを受信し、
前記端末機にスケジューリングされた前記サービスデータに対する第１周期パラメータ及び第２周期パラメータを含む動的サービス追加応答（ＤＳＡ−ＲＳＰ）メッセージを伝送し、
前記第１周期パラメータを優先的に用いて前記端末機から前記サービスデータを送信または受信すること、
を含み、
前記スケジューリングの周期は、前記第１周期パラメータ及び前記第２周期パラメータ間で切り替わる、データ送受信方法。
【請求項１０】
第１周期パラメータ及び第２周期パラメータ間の切替は、前記端末機から帯域幅要請メッセージを受信することによって行われる、請求項９に記載のデータ送受信方法。
【請求項１１】
前記第１周期パラメータ及び第２周期パラメータ間の変更は、前記スケジューリングに用いられるパラメータの交渉過程で第２周期パラメータが定義された場合に行われる、請求項９に記載のデータ送受信方法。
【請求項１２】
前記スケジューリングされたサービスデータの特徴が変更された場合に、前記第１周期パラメータ及び第２周期パラメータ間で切替が行われる、請求項９に記載のデータ送受信方法。
【請求項１３】
前記スケジューリングされたサービスデータの特徴は、前記スケジューリングされたサービスデータが伝送される区間が通話区間から沈黙区間へとまたは沈黙区間から通話区間へと切り替わる場合に変更される、請求項１２に記載のデータ送受信方法。
【請求項１４】
前記動的サービス追加応答（ＤＳＡ−ＲＳＰ）メッセージは、スケジューリングされた前記サービスデータの最大情報レート（peak  information  rate）を定義する最大維持トラフィックレート（Maximum  Sustain  Traffic  Rate）パラメータ及び関連したサービスフローに対する特定属性を規定する要請／伝送政策（Request/Transmission  Policy）パラメータをさらに含む、請求項９に記載のデータ送受信方法。
【請求項１５】
前記スケジューリングは、グラント及びポーリングスケジューリングであり、
前記動的サービス追加応答メッセージは、前記グラント及びポーリングスケジューリングに対する第１大きさパラメータ及び第２大きさパラメータをさらに含み、
前記グラント及びポーリングスケジューリングで用いられる大きさパラメータは、前記第１大きさパラメータ及び前記第２大きさパラメータ間で切り替わる、請求項９に記載のデータ送受信方法。
【請求項１６】
無線接続システムにおいてサービスデータを送受信する端末機であって、
基地局と前記サービスデータを送信または受信するためのスケジューリングに用いられるパラメータを交渉するための動的サービス追加（ＤＳＡ−ＲＥＱ）メッセージを前記基地局に伝送し、
前記基地局からスケジューリングされた前記サービスデータに対する第１周期パラメータ及び第２周期パラメータを含む動的サービス追加応答（ＤＳＡ−ＲＳＰ）メッセージを受信し、
前記第１周期パラメータを優先的に用いて前記サービスデータを送信または受信する制御部を含み、
前記スケジューリングされたサービスデータの周期は、前記第１周期パラメータ及び前記第２周期パラメータ間で切り替わる、端末機。
【請求項１７】
前記第１周期パラメータ及び前記第２周期パラメータ間の切替は、前記端末機が前記基地に帯域幅要請メッセージを伝送することによって行われる、請求項１６に記載の端末機。
【請求項１８】
前記第１周期パラメータ及び前記第２周期パラメータ間の変更は、前記スケジューリングに用いられるパラメータの交渉過程で前記第２周期パラメータが定義された場合に行われる、請求項１６に記載の端末機。
【請求項１９】
前記スケジューリングされたサービスデータの特徴が変更された場合に、前記第１周期パラメータ及び前記第２周期パラメータ間で切替が行われる、請求項１６に記載の端末機。
【請求項２０】
前記スケジューリングされたサービスデータの特徴は、前記スケジューリングされたサービスデータが伝送される区間が通話区間から沈黙区間へとまたは沈黙区間から通話区間へと切り替わる場合に変更される、請求項１９に記載の端末機。
【手続補正２】
【補正対象書類名】明細書
【補正対象項目名】００２５
【補正方法】変更
【補正の内容】
【００２５】
好ましくは、ＰＳＣは、通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含み、ここで、沈黙区間に対する非要求提供周期は、通話区間に対する非要求提供周期よりも大きい値に設定される。
例えば、本発明は以下の項目を提供する。
（項目１）
移動通信システムにおいて受信端でデータを送受信する方法であって、
送信端から送受信関連制御情報を受信し、
上記送受信関連制御情報から通話区間（talk  spurt）及び沈黙区間に対する電力消耗防止関連パラメータ情報のうち少なくとも一つを決定し、
上記通話区間か上記沈黙区間かによって上記電力消耗防止関連パラメータ情報を適用して上記送信端からのデータを受信すること、
を含む移動通信システムにおけるデータ送受信方法。
（項目２）
上記決定された電力消耗防止関連パラメータ情報によって上記通話区間と上記沈黙区との相互切替時に上記送信端に切替要請情報を送信し、
上記送信端から切替応答情報を受信すること、
をさらに含む、項目１に記載の移動通信システムにおけるデータ送受信方法。
（項目３）
上記データは上記通話区間及び上記沈黙区間で互いに同一のまたは異なる周期で受信されることを特徴とする、項目２に記載の移動通信システムにおけるデータ送受信方法。
（項目４）
上記電力消耗防止関連パラメータ情報は、通話区間でデータ送信（grant）間隔を設定する第１周期に関する情報と、沈黙区間でポーリング（polling）間隔を設定する第２周期に関する情報と、を含むことを特徴とする、項目２に記載の移動通信システムにおけるデータ送受信方法。
（項目５）
上記電力消耗防止関連パラメータ情報のうち少なくとも一つの決定によって、上記切替要請情報には、上記通話区間及び上記沈黙区間に対する聴取周期及び睡眠周期に関する情報を含むまたは含まないことを特徴とする、項目２に記載の移動通信システムにおけるデータ送受信方法。
（項目６）
上記沈黙区間におけるデータ受信周期と聴取周期が同一であることを特徴とする、項目３に記載の移動通信システムにおけるデータ送受信方法。
（項目７）
上記第２周期は、上記第１周期よりも大きい値に設定されることを特徴とする、項目４に記載の移動通信システムにおけるデータ送受信方法。
（項目８）
上記電力消耗防止関連パラメータ情報は、
上記沈黙区間で上記送信端に送信するＳＩＤ（Silence  Description）データの大きさ情報と、
上記沈黙区間で上記送信端に上記ＳＩＤデータのために割り当てられる帯域幅周期情報のうち少なくとも一つをさらに含むことを特徴とする、項目４に記載の移動通信システムにおけるデータ送受信方法。
（項目９）
上記通話区間用として割り当てられた通信リソース、制御情報及び上記電力消耗防止関連パラメータ情報を用いて最初のＳＩＤデータまたは一つ以上のパッディングデータを送信し、所定の送信用リソース要請情報を送信して通話区間から沈黙区間への切替を要請することをさらに含むことを特徴とする、項目８に記載の移動通信システムにおけるデータ送受信方法。
（項目１０）
上記通話区間用として割り当てられた通信リソース、制御情報及び上記電力消耗防止関連パラメータ情報を用いて所定の大きさを持つＳＩＤデータを送信して通話区間から沈黙区間への切替を要請することをさらに含むことを特徴とする、項目８に記載の移動通信システムにおけるデータ送受信方法。
（項目１１）
上記通話区間用として割り当てられた通信リソース、制御情報及び上記電力消耗防止関連パラメータ情報を用いて沈黙区間への切替指示情報を含むＳＩＤデータを送信して通話区間から沈黙区間への切替を要請し、
上記沈黙区間用として割り当てられた通信リソース、制御情報及び上記電力消耗防止関連パラメータ情報を用いて通話区間への切替指示情報を含むＳＩＤデータを送信して沈黙区間から通話区間への切替を要請すること、
をさらに含むことを特徴とする、項目８に記載の移動通信システムにおけるデータ送受信方法。
（項目１２）
上記沈黙区間への切替を要請した後、上記送信端から上記沈黙区間のための通信リソース割当を受け、
上記通信リソース及び上記電力消耗防止関連パラメータ情報を用いてＳＩＤデータを送信すること、
をさらに含むことを特徴とする、項目９〜１１のいずれか１項に記載の移動通信システムにおけるデータ送受信方法。
（項目１３）
広帯域無線接続システムにおいてＶｏＩＰサービスを受ける端末であって、
基地局とＶｏＩＰサービスのためのＱｏＳパラメータを交渉し、
上記交渉されたＱｏＳパラメータを用いて通話区間（talk  spurt）に対する電力消耗防止クラス（Power  Saving  Class;  PSC）を定義してそれを活性化し、
通話区間から沈黙区間（silence  period）に切り替わると、上記交渉されたＱｏＳパラメータを用いて沈黙区間に対するＰＳＣを再定義してそれを活性化する制御部を含む、ＶｏＩＰサービスに対する電力消耗を防止する端末機。
（項目１４）
上記ＰＳＣは、
通話区間でＶｏＩＰサービスフローに対するデータ伝送（grant）間隔を設定する第１周期と、沈黙区間でＶｏＩＰサービスフローに対するポーリング（polling）間隔を設定する第２周期と、を含むことを特徴とする、項目１３に記載のＶｏＩＰサービスに対する電力消耗を防止する端末機。
（項目１５）
上記ＰＳＣは、
通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含むことを特徴とする、項目１３または１４に記載のＶｏＩＰサービスに対する電力消耗を防止する端末機。
（項目１６）
上記通話区間と沈黙区間との切替を確認するための所定のカウンター及びタイマーのうち少なくとも一つをさらに含むことを特徴とする、項目１３に記載のＶｏＩＰサービスに対する電力消耗を防止する端末機。
（項目１７）
広帯域無線接続システムにおいてＶｏＩＰサービスを受ける端末であって、
基地局とＶｏＩＰサービスのためのＱｏＳパラメータを交渉し、
上記交渉されたＱｏＳパラメータを用いて通話区間（talk  spurt）に対する第１電力消耗防止クラス（Power  Saving  Class;  PSC-1）と、沈黙区間（silence  period）のための第２電力消耗防止クラス（PSC-2）を定義し、
通話区間から沈黙区間に切り替わると、上記ＰＳＣ−１を選択してそれを活性化する制御部を含む、ＶｏＩＰサービスに対する電力消耗を防止する端末機。
（項目１８）
上記ＰＳＣ−１は、通話区間でＶｏＩＰサービスフローに対するデータ伝送（grant）間隔を設定する第１周期を含み、
上記ＰＳＣ−２は、沈黙区間でＶｏＩＰサービスフローに対するポーリング（polling）間隔を設定する第２周期を含むことを特徴とする、項目１７に記載のＶｏＩＰサービスに対する電力消耗を防止する端末機。
（項目１９）
上記ＰＳＣ−１及び上記ＰＳＣ−２は、
通話区間及び沈黙区間のそれぞれに対する最大維持トラフィックレート（maximum  sustained  traffic  rate）、トラフィック優先順位（traffic  priority）、要請／伝送政策（request/transmission  policy）及び非要求提供周期（unsolicited  grant  interval）のうち少なくとも一つを含むことを特徴とする、項目１７に記載のＶｏＩＰサービスに対する電力消耗を防止する端末機。
（項目２０）
上記通話区間及び沈黙区間との切替を確認するための所定のカウンター及びタイマーのうち少なくとも一つをさらに含むことを特徴とする、項目１７に記載のＶｏＩＰサービスに対する電力消耗を防止する端末機。
【国際調査報告】
2010529707.tif 000022
2010529707.tif 000023